(57)【要約】【課題】  蓋のつまみ部をつまみ易くして開封性を向上すること。【解決手段】  蓋１２の接着部２１を容器本体１１に接着してなる紙容器１０であって、蓋１２の接着部２１に罫線２２Ａを介してつまみ部２２を連設し、つまみ部２２は容器本体１１に接着されないもの。【選択図】  図１
2005263299.tif 000002
【特許請求の範囲】
【請求項１】
蓋の接着部を容器本体に接着してなる紙容器であって、
蓋の接着部に罫線を介してつまみ部を連設し、つまみ部は容器本体に接着されない紙容器。
【請求項２】
前記蓋の接着部が該蓋の前板に罫線を介して連設された舌片である請求項１に記載の紙容器。
【請求項３】
前記容器本体における蓋のつまみ部と重なる範囲の少なくとも一部を凸部にしてなる請求項１又は２に記載の紙容器。
【請求項４】
前記つまみ部の外縁に凹凸状エッジを設けた請求項１〜３のいずれかに記載の紙容器。
【請求項５】
前記つまみ部の表面に凸部を設けた請求項１〜３のいずれかに記載の紙容器。
【発明の詳細な説明】
【技術分野】
【０００１】
本発明は粉体洗剤用紙容器等の紙容器に関する。
【背景技術】
【０００２】
洗剤容器では、廃棄時の焼却性のために紙容器を用いている。そして、特許文献１に記載の如く、蓋のつまみ部を容器本体に接着して封止し、このつまみ部を指でつまんで容器本体から剥離することにて開封可能にしている。
【特許文献１】特開2001-315766
【発明の開示】
【発明が解決しようとする課題】
【０００３】
従来技術には以下の問題点がある。
(1)蓋のつまみ部を指でつまんで開封するとき、つまみ部の概ね全部が容器本体に接着されていて、つまみにくい。
【０００４】
(2)蓋のつまみ部が上述(1)により、容器本体に隙間なく添接していて、視覚障害者等にはつまみ部を探しにくい。
【０００５】
本発明の課題は、蓋のつまみ部をつまみ易くして開封性を向上することにある。
本発明の他の課題は、視覚障害者等にもつまみ部を探し易くして開封性を向上することにある。
【課題を解決するための手段】
【０００６】
請求項１の発明は、蓋の接着部を容器本体に接着してなる紙容器であって、蓋の接着部に罫線を介してつまみ部を連設し、つまみ部は容器本体に接着されないものである。
【発明を実施するための最良の形態】
【０００７】
粉体洗剤用紙容器１０は、図１に示す如く、容器本体１１と蓋１２とからなる。
容器本体１１は、紙だけ、もしくは紙を主材料としてプラスチックフィルムをラミネートされた素材を折り曲げて組立てたものであり、正面板１１Ａ、背面板１１Ｂ、両側板１１Ｃ、１１Ｃ、底板１１Ｄを有する。
【０００８】
蓋１２は、紙だけ、もしくは紙を主材料としてプラスチックフィルムをラミネートされた素材を折り曲げて組立てたものであり、前板１２Ａ、後板１２Ｂ、両側板１２Ｃ、１２Ｃ、天板１２Ｄを有する。
【０００９】
紙容器１０は、容器本体１１の背面板１１Ｂに、蓋１２の後板１２Ｂにヒンジとなる罫線を介して連設したヒンジ結合部１２Ｅを接着し、蓋１２を容器本体１１に対し開閉可能にする。尚、容器本体１１の開口部には封緘紙１３が封着可能にされる。このとき、紙容器１０は、蓋１２の前板１２Ａに罫線２１Ａを介して蓋１２の横幅と比して狭幅、つまみ部２２の横幅よりやや広幅の接着部２１を連設し、この接着部２１の概ね全部、又は中央部を接着剤によって容器本体１１の正面板１１Ａに接着することにて、蓋１２を容器本体１１に対し封止する。
【００１０】
紙容器１０は、蓋１２の接着部２１の両横に罫線２２Ａを介してつまみ部２２を連設し、つまみ部２２は容器本体１１の正面板１１Ａに接着されない。つまみ部２２は、接着部２１と異なる例えば赤色等に着色されても良い。尚、容器本体１１の正面板１１Ａにおいて、蓋１２の接着部２１が接着される部分はエンボス加工された凸部とするものであっても良い。
【００１１】
また、容器本体１１の正面板１１Ａにおいて、蓋１２のつまみ部２２が重なる部分はエンボス加工された凸部３１とされる（図２）。
【００１２】
本実施例によれば以下の作用効果を奏する。
(a)蓋１２の接着部２１を容器本体１１に接着して閉蓋し、この接着部２１に連設するつまみ部２２を指でつまんで接着部２１を容器本体１１から剥離し、開封する。つまみ部２２は、容器本体１１に接着されていないし、接着部２１に罫線２２Ａを介して連設されるものであるから、指先で軽く触れることにより罫線２２Ａを起点として容器本体１１の側から容易に浮き上がり、つまみ易い。
【００１３】
(b)つまみ部の下部に凸部３１を設けることによって、凸部３１によりつまみ部２２が容器本体１１より浮き上がるものとなり、つまみ部２２を探し易く、浮き上がったつまみ部２２の端部を手がかりとして、つまみ易い。
【００１４】
(c)つまみ部２２は上述(a)の如くに指先で軽く触れることによって容易に浮き上がり、視覚障害者等にも探し易い。つまみ部２２は、使用開始前から、罫線２２Ａを起点として浮き上がり状態にしておくこともでき、これによれば、より探し易くなる。
【００１５】
(d)つまみ部２２は接着部２１等と異なる赤色等に着色されることにより、万人において見つけ易く、探し易くすることができる。
【００１６】
(e)つまみ部２２は、蓋１２の前板１２Ａに連設された接着部２１の両横に罫線２２Ａを介して連設することができる。つまみ部２２を指でつまんで接着部２１を容器本体から剥離した最初の開封後には、つまみ部２２と接着部２１をつまんで開蓋できる。
【００１７】
(f)蓋１２の接着部２１を容器本体１１の凸部３１に接着することにより、つまみ部２２は容器本体１１の凸部３１の周辺との間に大きな隙間を形成するものになり、指先により触れ易く、よりつまみ易くなる。
【００１８】
(g)蓋１２に罫線２１Ａを介して設けられた接着部２１の横幅を蓋１２より狭幅とし、つまみ部２２より広幅とすることにより、つまみ部２２を手がかりとした接着部２１の引き剥がしを容易にする。
【００１９】
紙容器１０にあっては、図３（Ａ）に示す如く、蓋１２のつまみ部２２の全部又は一部の外縁に波形状、鋸歯状等の凹凸状エッジ２３を設けることができる。凹凸状エッジ２３はつまみ部２２の外縁に罫線２３Ａを介して付加することができる。これによれば、つまみ部２２の外縁に凹凸状エッジ２３を設けることにより、つまみ部２２を触覚により探すことができ、視覚障害者等にも探し易い。
【００２０】
紙容器１０にあっては、図３（Ｂ）に示す如く、蓋１２のつまみ部２２の表面にエンボス加工された多数の凸部２４を設けることができる。これによれば、つまみ部２２の表面に凸部２４を設けることにより、つまみ部２２を触覚により探すことができ、視覚障害者等にも探し易い。
【００２１】
紙容器１０は、図４に示す如く、蓋１２の接着部２１の下辺に罫線２２Ａを介してつまみ部２２を連設しても良い。このつまみ部２２も容器本体１１の正面板１１Ａに接着されない。
【００２２】
尚、本発明の紙容器は、蓋を容器本体にヒンジ結合するものに限らず、蓋を開蓋状態で容器本体から分離可能にするものでも良い。
【図面の簡単な説明】
【００２３】
【図１】図１は紙容器を示し、（Ａ）は閉蓋状態の正面図、（Ｂ）は開蓋状態の側面図である。
【図２】図２は容器本体の凸部と蓋の接着部を示す模式図である。
【図３】図３はつまみ部を示し、（Ａ）は凹凸状エッジ付つまみ部の正面図、（Ｂ）は凸部付つまみ部の正面図である。
【図４】図４は紙容器の他の例を示す正面図である。
【符号の説明】
【００２４】
１０  紙容器
１１  容器本体
１２  蓋
１２Ａ  前板
２１  接着部
２２  つまみ部
２２Ａ  罫線
２３  凹凸状エッジ
２４  凸部
３１  凸部
【図１】
2005263299.tif 000003
【図２】
2005263299.tif 000004
【図３】
2005263299.tif 000005
【図４】
2005263299.tif 000006